(57)【要約】【課題】表示パネルの周囲に狭い額縁しか有さない電子装置であっても、透光性部品を剥離し易くして製品リペアや製品廃棄時の材料分別を容易にする。【解決手段】液晶パネル６（表示パネル）を備えた携帯電話機１の筐体構造において、液晶パネル６の表面側に接着固定された透光性部材１０を割って剥がす取外し手段１５を設ける。すなわち、透光性部材１０において、予め所定の位置に凹溝１６によって破断予定部１５を設け、この破断予定部１５において透光性部材１０が割れるようする。【選択図】図２
2007304390.tif 000002
【特許請求の範囲】
【請求項１】
表示パネルを備えた電子機器の筐体構造において、
上記電子機器の筐体における表示パネルの表面側に接着固定される透光性部材と、
上記透光性部材を割って剥がす取外し手段とを備えている
ことを特徴とする電子機器の筐体構造。
【請求項２】
請求項１に記載の電子機器の筐体構造において、
上記透光性部材において、予め所定の位置に上記取外し手段としての破断予定部を設け、該破断予定部において透光性部材が割れるようにしている
ことを特徴とする電子機器の筐体構造。
【請求項３】
請求項２に記載の電子機器の筐体構造において、
上記破断予定部は、上記透光性部材の裏面側に設けた凹溝により形成されている
ことを特徴とする電子機器の筐体構造。
【請求項４】
請求項２に記載の電子機器の筐体構造において、
上記破断予定部は、上記透光性部材の表面側及び裏面側に設けた凹溝により形成されている
ことを特徴とする電子機器の筐体構造。
【請求項５】
請求項３又は４に記載の電子機器の筐体構造において、
上記凹溝の少なくとも一方の端部には、分割用切欠部が形成されている
ことを特徴とする電子機器の筐体構造。
【請求項６】
請求項５に記載の電子機器の筐体構造において、
上記分割用切欠部は、平面視で内側に向かって尖った形状を有し、先端が上記凹溝に連続している
ことを特徴とする電子機器の筐体構造。
【請求項７】
請求項２乃至６のいずれか１つに記載の電子機器の筐体構造において、
上記電子機器の筐体は、上記表示パネルを露出させる表示用窓部を備え、該表示用窓部の周縁には、上記透光性部材が嵌め込まれる平坦な額縁部が形成されている
ことを特徴とする電子機器の筐体構造。
【請求項８】
請求項７に記載の電子機器の筐体構造において、
上記透光性部材と上記筐体とは、略連続した表面を形成している
ことを特徴とする電子機器の筐体構造。
【請求項９】
請求項７又は８に記載の電子機器の筐体構造において、
上記透光性部材の一部を上記破断予定部で引き剥がして割れるように、該透光性部材における破断予定部の近傍は切り欠かれ、引掛用切欠部が形成されている
ことを特徴とする電子機器の筐体構造。
【請求項１０】
請求項９に記載の電子機器の筐体構造において、
上記額縁部の上記引掛用切欠部に対応する部分には、周囲よりも凹んだ引掛用凹部が形成されている
ことを特徴とする電子機器の筐体構造。
【請求項１１】
請求項７乃至１０のいずれか１つに記載の電子機器の筐体構造において、
上記透光性部材は、上記額縁部に接着固定用両面テープで接着固定され、
上記破断予定部は、接着固定用両面テープから０．３ｍｍ以上でかつ該接着固定用両面テープの幅を１ｍｍ以上確保できるだけ離れている
ことを特徴とする電子機器の筐体構造。
【請求項１２】
請求項７乃至１１のいずれか１つに記載の電子機器の筐体構造において、
上記額縁部には、上記表示パネルを上記筐体に固定するための表示パネル固定用ビスが挿通されるビス挿通孔が形成され、
上記透光性部材は、上記表示パネルを露出させるための可視部と、裏面側を隠すための隠蔽部とを備え、
上記表示パネル固定用ビスは、上記隠蔽部によって隠蔽されている
ことを特徴とする電子機器の筐体構造。
【請求項１３】
請求項１２に記載の電子機器の筐体構造において、
上記凹溝は、上記隠蔽部に形成されている
ことを特徴とする電子機器の筐体構造。
【請求項１４】
請求項１乃至１３のいずれか１つに記載の電子機器の筐体構造において、
上記透光性部材は、ガラス、強化ガラス又は透明樹脂のいずれか１つからなる
ことを特徴とする電子機器の筐体構造。
【請求項１５】
請求項１乃至１４のいずれか１つに記載の電子機器の筐体構造において、
上記表示パネルは、液晶ディスプレイを備えている
ことを特徴とする電子機器の筐体構造。
【請求項１６】
請求項１乃至１４のいずれか１つに記載の電子機器の筐体構造において、
上記表示パネルは、有機ＥＬディスプレイを備えている
ことを特徴とする電子機器の筐体構造。
【請求項１７】
請求項１乃至１６のいずれか１つに記載の電子機器の筐体構造を備えた
ことを特徴とする電子機器。
【請求項１８】
携帯用通信機器である
ことを特徴とする請求項１７に記載の電子機器。
【発明の詳細な説明】
【技術分野】
【０００１】
本発明は、表示パネルを備えた電子機器の筐体構造及びそれを備えた電子機器に関し、特に電子機器の製品リペア時及び製品廃棄時に表示パネルを覆う透光性部材を剥離し易くし、分解性を容易にする技術に関するものである。
【背景技術】
【０００２】
表示パネルの表面側に透光性部材のパネルを接着固定する場合、通常使用時に透光性部材が剥がれないように、接着剤又は両面テープを用いて接着している。製品リペアや製品廃棄時に電子機器から透光性部材を剥がす際には、大きな力を加えなければならず、製品リペアや製品廃棄時の材料分別に不適当であるという欠点があった。
【０００３】
従来より、このような不便を解消する手段として、例えば、特許文献１の筐体構造のように、金属板をテコとして用いて透光性パネルを剥がすことが知られている。
【特許文献１】特開平８−３１６６４６号公報
【発明の開示】
【発明が解決しようとする課題】
【０００４】
しかし、上記特許文献１の電子機器の筐体構造では、透光性部品の外側に金属板を配置しなければならず、狭い額縁しか有さないコンパクトな電子機器には、スペースの都合上問題があった。
【０００５】
本発明は、かかる点に鑑みてなされたものであり、その目的とするところは、狭い額縁を有する電子装置であっても、透光性部品を剥離し易くして製品リペアや製品廃棄時の材料分別を容易にすることにある。
【課題を解決するための手段】
【０００６】
上記の目的を達成するために、第１の発明では、表示パネルを備えた電子機器の筐体構造を前提とし、
上記電子機器の筐体における表示パネルの表面側に接着固定される透光性部材と、
上記透光性部材を割って剥がす取外し手段とを備えている。
【０００７】
上記の構成によると、取外し手段によって、透光性部材を所定の位置で割って剥がすことができるので、そこを取っ掛かりとすることで、筐体に接着固定されて剥がれ難い透光性部材が容易に剥がれる。
【０００８】
第２の発明では、上記透光性部材において、予め所定の位置に上記取外し手段としての破断予定部を設け、該破断予定部において透光性部材が割れるようにしている。
【０００９】
上記の構成によると、透光性部材が破断予定部で割れるので、割れた部分を取り除いた後、残った部分を剥離させればよく、製品リペア及び分解が容易である。
【００１０】
第３の発明では、上記破断予定部は、上記透光性部材の裏面側に設けた凹溝により形成されている。
【００１１】
上記の構成によると、凹溝を形成することで薄肉となった部分で破断予定部が形成される。破断予定部を形成する凹溝が裏面側に設けられているので、凹溝が表面側から見えず、見映えがよい。また、凹溝にゴミが溜まらず、かつ、さわり心地が悪くならないので、不快感がない。
【００１２】
第４の発明では、上記破断予定部は、上記透光性部材の表面側及び裏面側に設けた凹溝により形成されている。
【００１３】
上記の構成によると、凹溝を形成することで薄肉となった部分で破断予定部が形成される。両面に凹溝を設けているので、破断予定部での破断が容易である。
【００１４】
第５の発明では、上記凹溝の少なくとも一方の端部には、分割用切欠部が形成されている。
【００１５】
上記の構成によると、分割用切欠部から亀裂が発生し、凹溝で薄肉となった破断予定部に沿って亀裂が進展するので、製品リペア及び分解が容易である。
【００１６】
第６の発明では、上記分割用切欠部は、平面視で内側に向かって尖った形状を有し、先端が上記凹溝に連続している。
【００１７】
上記の構成によると、凹溝側に応力が集中するので、凹溝の端部からの亀裂の発生がさらに容易となる。
【００１８】
第７の発明では、上記電子機器の筐体は、上記表示パネルを露出させる表示用窓部を備え、該表示用窓部の周縁には、上記透光性部材が嵌め込まれる平坦な額縁部が形成されている。
【００１９】
上記の構成によると、透光性部材が表示用窓部周縁の平坦な額縁部に嵌め込まれるので、見映えがよく、通常使用時に剥がれ難い。
【００２０】
第８の発明では、上記透光性部材と上記筐体とは、略連続した表面を形成している。
【００２１】
上記の構成によると、見映え及び手触りをよくするために透光性部材と筐体とで略連続した表面を形成すれば、透光性部材を取り外し難くなるが、取外し手段によって透光性部材の取り外しが容易となる。
【００２２】
第９の発明では、上記透光性部材の一部を上記破断予定部で引き剥がして割れるように、該透光性部材における破断予定部の近傍は切り欠かれ、引掛用切欠部が形成されている。
【００２３】
上記の構成によると、引掛用切欠部に工具を引っ掛けて透光性部材に額縁部から引き剥がす方向へ力を加えることにより、破断予定部において亀裂が生じ易くなる。
【００２４】
第１０の発明では、上記額縁部の上記引掛用切欠部に対応する部分には、周囲よりも凹んだ引掛用凹部が形成されている。
【００２５】
上記の構成によると、引掛用切欠部に工具を引っ掛けて透光性部材に額縁部から引き剥がす方向へ力を加える際に、工具の先端を引掛用凹部に挿入することで、テコの原理を利用してさらに破断予定部に亀裂を生じさせ易くなる。
【００２６】
第１１の発明では、上記透光性部材は、上記額縁部に接着固定用両面テープで接着固定され、
上記破断予定部は、接着固定用両面テープから０．３ｍｍ以上でかつ該接着固定用両面テープの幅を１ｍｍ以上確保できるだけ離れている。
【００２７】
すなわち、透光性部材の凹溝が接着固定用両面テープから０．３ｍｍ未満しか離れていないと、取付誤差により、凹溝とテープとが重なる部分が生じる場合があり、その場合には、接着力が強すぎて破断予定部に力を加えにくく、破断予定部から亀裂を生じさせるのが困難となるが、上記の構成によると、透光性部材の凹溝が適度に接着固定用両面テープから離れているので、破断予定部に力を加え易く、亀裂が生じ易い。一方、凹溝から離しすぎて両面テープの幅が確保できずに１ｍｍを切ると、両面テープの接着力が保てず、また、両面テープの加工ができなくなる。
【００２８】
第１２の発明では、上記額縁部には、上記表示パネルを上記筐体に固定するための表示パネル固定用ビスが挿通されるビス挿通孔が形成され、
上記透光性部材は、上記表示パネルを露出させるための可視部と、裏面側を隠すための隠蔽部とを備え、
上記表示パネル固定用ビスは、上記隠蔽部によって隠蔽されている。
【００２９】
上記の構成によると、表示パネル固定用ビスが表示パネルの隠蔽部で隠れるので、見映えがよい。また、表示パネル固定用ビスが額縁部に設けられているのでコンパクト化が図られると共に、別部材で隠す必要がなく、部品点数が減る。
【００３０】
第１３の発明では、上記凹溝は、上記隠蔽部に形成されている。
【００３１】
上記の構成によると、凹溝により表示パネルの画面が乱れることはない。
【００３２】
第１４の発明では、上記透光性部材は、ガラス、強化ガラス又は透明樹脂のいずれか１つからなる。
【００３３】
上記の構成によると、表示パネルが見易く、かつ表示パネルが確実に保護される。
【００３４】
第１５の発明では、上記表示パネルは、液晶ディスプレイを備えるものとする。
【００３５】
上記の構成によると、安価で快適な画面が得られる。
【００３６】
第１６の発明では、上記表示パネルは、有機ＥＬディスプレイを備えるものとする。
【００３７】
上記の構成によると、低電力で高い輝度を得ることができ、視認性、応答速度、寿命、消費電力の点で優れている。
【００３８】
第１７の発明では、電子機器は、上記第１乃至１６の発明のいずれか１つの電子機器の筐体構造を備えている。
【００３９】
上記の構成によると、リペア性及びリサイクル性に優れた電子機器が得られる。
【００４０】
第１８の発明では、電子機器は、携帯用通信機器とする。
【００４１】
上記の構成によると、携帯用通信機器では、特にコンパクトであることが要求されるため、透光性部材を剥がすためのスペースを設け難いが、本発明により、透光性部材を容易に剥がすことができるので、コンパクト性を悪化させることはない。
【発明の効果】
【００４２】
以上説明したように、本発明によれば、電子機器の筐体に接着固定された透光性部材を割って剥がすことにより、分解性がよく、剥離コストも安価になり、リペア性及びリサイクル性に優れた電子機器の筐体構造を提供することができる。
【発明を実施するための最良の形態】
【００４３】
以下、本発明の実施形態を図面に基づいて説明する。
【００４４】
図１は、本発明の実施形態にかかる電子機器としての携帯電話機の筐体構造を示す断面図である。図２は、本発明の実施形態にかかる携帯電話機の筐体構造の分解斜視図である。
【００４５】
図１及び図２において、携帯電話機１は、表面側キャビネット２と、裏面側キャビネット３とを備え、両者間にマグネシウムフレームなどの金属補強板４が狭持されている。この金属補強板４の表面側に液晶バックライト５が載置されている。この液晶バックライト５に表示パネルとしての液晶パネル６が液晶パネル固定用両面テープ７で固定されている。このことで、液晶パネル６及び液晶バックライト５が金属補強板４に保護されている。
【００４６】
上記表面側キャビネット２は、上記液晶パネル６を露出させる表示用窓部９を備え、該表示用窓部９の周縁には、透光性部材１０が嵌め込まれる平坦な額縁部１２が形成されている。額縁部１２は、表面側キャビネット２の周縁２ａよりも透光性部材１０の厚さ分だけ低く形成され、上記表示パネル固定用ビス８が挿通されるビス挿通孔１９が形成されている。このビス挿通孔１９に表示パネル固定用ビス８を挿通して裏面側キャビネット３に締結することで、液晶パネル６が表面側キャビネット２及び裏面側キャビネット３に固定されている。
【００４７】
上記額縁部１２の上から透光性部材１０が接着固定用両面テープ１３で接着固定されている。このように、透光性部材１０が表示用窓部９の周縁に嵌め込まれるので、見映えがよく、通常使用時に剥がれ難いものとなっている。なお、液晶パネル６と透光性部材１０との間には衝撃緩衝用のクッション１４が挟み込まれている。
【００４８】
図３は、透光性部材１０を示し、（ａ）が正面図で（ｂ）が背面図である。図４は、本発明に係わる携帯電話機１の透光性部材１０取外し前の状態を示す斜視図である。図５は、本発明に係わる携帯電話機１の透光性部材１０取外し後の状態を示す斜視図である。
【００４９】
本発明の特徴として、携帯電話機１は、上記透光性部材１０を割って剥がす取外し手段を備えている。すなわち、上記透光性部材１０において、予め下側の所定の位置に取外し手段としての破断予定部１５が設けられている。この破断予定部１５において透光性部材１０が割れ、下側部分１０ｃが取外し可能に構成されている。
【００５０】
上記破断予定部１５は、上記透光性部材１０の表面側及び裏面側に設けた凹溝１６により薄肉となった部分で構成されている。このように、両面に凹溝１６を設けているので、破断予定部１５での破断が容易となっている。なお、本実施形態では、凹溝１６を左右全体に一直線に設けたが、非連続に設けてもよく、両端側のみ設けてもよい。
【００５１】
上記凹溝１６の両端は切り欠かれて分割用切欠部２０が形成されている。分割用切欠部２０は、平面視で内側に向かって尖った形状を有し、先端が凹溝１６に連続している。
【００５２】
図１に示すように、上記透光性部材１０と上記表面側キャビネット２とで略連続した表面が形成されている。このことで、見映え及び手触りをよくするために透光性部材１０と表面側キャビネット２とで略連続した表面を形成しても、破断予定部１５によって透光性部材１０を剥がし易いものとなっている。
【００５３】
上記透光性部材１０の一部を上記破断予定部１５で引き剥がして割れるように、透光性部材１０における破断予定部１５の近傍は平面視で半円状に切り欠かれ、引掛用切欠部１７が形成されている。この引掛用切欠部１７の形状は、半円でなくてもよく、矩形状であってもよい。
【００５４】
一方、上記額縁部１２の上記引掛用切欠部１７に対応する部分には、周囲よりも凹んだ引掛用凹部１８が形成されている。つまり、平坦な額縁部１２よりも２〜３ｍｍ程度凹み、引掛用切欠部１７に挿通した工具先端を挿入でき、その状態で表面側キャビネット２の周縁２ａに工具をあてながら、てこの原理を利用して透光性部材１０を引き剥がすことができるようになっている。
【００５５】
上記透光性部材１０は、上記液晶パネル６を露出させるための可視部１０ａと、裏面側を隠すための隠蔽部１０ｂとを備えている。例えば、隠蔽部１０ｂは、透光性部材１０の裏面側に光を通さない塗料を印刷することで形成される。表示パネル固定用ビス８は、隠蔽部１０ｂによって隠蔽されている。このため、表示パネル固定用ビス８が液晶パネル６の隠蔽部１０ｂで隠れるので、見映えがよい。また、表示パネル固定用ビス８が額縁部１２に設けられているのでコンパクト化が図られると共に、別部材で隠す必要がなく、部品点数が減る。
【００５６】
上記透光性部材１０は、ガラス、強化ガラス又は透明樹脂からなるものとする。このことで、液晶パネル６が見易く、かつ液晶パネル６が確実に保護されるようになっている。
【００５７】
上記透光性部材１０は、図３に斜線で示す部分に貼り付けられた接着固定用両面テープ１３を上記額縁部１２に貼り付けることで、接着固定されている。凹溝１６の中心は、接着固定用両面テープ１３から０．３ｍｍ以上離れている（０．３ｍｍ≦Ｌ１）。そして、接着力及び加工性の観点から接着固定用両面テープの幅は、１ｍｍ以上確保するようにしている（Ｌ２≧０．１ｍｍ）。
【００５８】
−透光性部材の取外し手順−
次に、本実施形態にかかる透光性部材の取外し手順について説明する。
【００５９】
まず、図４に示す状態から、引掛用切欠部１７に工具（図示せず）の先端を引っ掛けて透光性部材１０に力を加える。このとき、工具の先端を引掛用凹部１８に挿入し、表面側キャビネット２の周縁２ａに工具をあてながら、てこの原理を利用して凹溝１６で薄肉となった破断予定部１５に容易に亀裂を生じさせることができる。
【００６０】
このとき、凹溝１６の両端の分割用切欠部２０から亀裂が発生し、破断予定部１５に沿って亀裂が進展する。分割用切欠部２０は、平面視で内側に向かって尖った形状を有し、先端が凹溝１６に連続しているため、凹溝１６側に応力が集中し、凹溝１６の端部から容易に亀裂を発生させることができる。
【００６１】
次いで、亀裂が生じて他の部分と分断された透光性部材１０の下側部分１０ｃを表面側キャビネット２から剥がす。すると、破断予定部１５で下側部分１０ｃが取り外され、図５の状態になる。
【００６２】
透光性部材１０の材料がガラス又は強化ガラスの場合は、透光性部材１０に対して叩き分断を行ってから、引掛用切欠部１７を用いて剥がしてもよい。
【００６３】
このとき、透光性部材１０の凹溝１６が接着固定用両面テープ１３から０．３ｍｍ未満しか離れていないと、接着力が強すぎて破断予定部１５に力を加えにくく、破断予定部１５から亀裂を生じさせるのが困難となるが、本実施形態では、透光性部材１０の凹溝１６が適度に接着固定用両面テープ１３から離れているので、製作誤差により凹溝１６に接着固定用両面テープ１３が重ならず、破断予定部１５に力を加え易く、亀裂が生じ易い。
【００６４】
次に、下側部分１０ｃが取り外された残りの透光性部材１０の下側に工具を引っ掛けて剥がすことで、表面側キャビネット２に接着固定されて剥がれ難い透光性部材１０を容易に剥がすことができる。
【００６５】
−実施形態の効果−
したがって、本実施形態にかかる携帯電話機１によると、表面側キャビネット２に接着固定された透光性部材１０を割って剥がすことにより、分解性がよく、剥離コストも安価になり、リペア性及びリサイクル性に優れたものとすることができる。
【００６６】
（その他の実施形態）
本発明は、上記実施形態について、以下のような構成としてもよい。
【００６７】
すなわち、上記実施形態では、予め所定の場所に凹溝１６を設け、残った薄肉の部分で破断予定部１５を形成したが、単にスジを設けて破断し易くして破断予定部１５を形成してもよい。
【００６８】
上記実施形態では、透光性部材１０の両面に凹溝１６を設けて破断予定部１５を形成したが、透光性部材１０の裏面側にのみ設けた凹溝１６により形成してもよい。このことで、破断予定部１５を形成する凹溝１６が裏面側に設けられているので、凹溝１６が表面側から見えず、見映えがよい。また、凹溝１６にゴミが溜まらず、かつ、さわり心地が悪くならないので、不快感がない。
【００６９】
上記実施形態では、透光性部材１０の下側に凹溝１６を設けたが、上側の隠蔽部１０ｂに設けてもよい。但し、可視性を妨げないようにするために、凹溝１６は、隠蔽部１０ｂに設けるのが望ましい。
【００７０】
上記実施形態では、凹溝１６と分割用切欠部２０とが設けられているが、どちらか片方のみ設けてもよい。但し、両者を設けることで確実に破断予定部１５に沿って亀裂を発生させることができる。
【００７１】
上記実施形態では、引掛用切欠部１７及び引掛用凹部１８を設けたが、これらを必ずしも設ける必要はなく、その場合には、吸着パッド又は吸盤を用いて下側部分１０ｃを剥がしてもよい。
【００７２】
上記実施形態では、表示パネルは、液晶パネル６よりなり、液晶ディスプレイを備えるものとしたが、有機ＥＬディスプレイを備えるものとしてもよい。このことで、低電力で高い輝度を得ることができ、視認性、応答速度、寿命、消費電力の点で優れた携帯電話機１が得られる。
【００７３】
上記実施形態では、電子機器は、携帯通信機器としての携帯電話機１としたが、ＰＣ、モバイルツール、電子辞書、ゲーム機、電卓、複写機等であってもよい。また、ＰＨＳ、ＰＤＡなどの携帯通信機器であってもよい。しかし、携帯電話機１に代表される携帯用通信機器では、特にコンパクトであることが要求されるため、透光性部材１０を剥がすためのスペースを設け難いが、本実施形態によると、コンパクト性を悪化させることはない。
【００７４】
なお、以上の実施形態は、本質的に好ましい例示であって、本発明、その適用物や用途の範囲を制限することを意図するものではない。
【図面の簡単な説明】
【００７５】
【図１】本発明の実施形態にかかる携帯電話機の筐体構造を示す断面図である。
【図２】本発明の実施形態にかかる携帯電話機の筐体構造の分解斜視図である。
【図３】透光性部材を示し、（ａ）が正面図で（ｂ）が背面図である。
【図４】携帯電話機の筐体構造の透光性部材取外し前の状態を示す斜視図である。
【図５】携帯電話機の筐体構造の透光性部材取外し後の状態を示す斜視図である。
【符号の説明】
【００７６】
１      携帯電話機（電子機器、携帯通信機器）
２      表面側キャビネット（筐体）
６      液晶パネル（表示パネル）
９      表示用窓部
１０      透光性部材
１０ａ    可視部
１０ｂ    隠蔽部
１２      額縁部
１３      接着固定用両面テープ
１５      破断予定部（取外し手段）
１６      凹溝
１７      引掛用切欠部
１８      引掛用凹部
１９      ビス挿通孔
２０      分割用切欠部
【図１】
2007304390.tif 000003
【図２】
2007304390.tif 000004
【図３】
2007304390.tif 000005
【図４】
2007304390.tif 000006
【図５】
2007304390.tif 000007